(57)【要約】【課題】  ディスクが安着面から離脱しないようにし、且つ、ターンテーブル上でのディスクの偏心を減少することのできる光ディスクドライブを提供する。【解決手段】  メーンフレームに出入自在に設けられてディスクを運搬するトレー３００は、外郭面３１０及びディスクが安着されるようにその外郭面から没入形成された安着面３２１を有し、且つ、トレー３００には、安着面に安着されたディスクをトレーの進入方向と反対方向に加圧して安着面と外郭面との間の段付き部３１５に密着させることによってディスクの離脱を防止する離脱防止手段が設けてある。離脱防止手段は、回転レバー３５１とトーションスプリング３５２とを有する。【選択図】      図１０Ｂ
2004296091.tif 000002
【特許請求の範囲】
【請求項１】
メーンフレームと、前記メーンフレームに出入自在に設けられてディスクを運搬するトレーとを含む光ディスクドライブにおいて、
前記トレーは、外郭面及びディスクが安着されるようにその外郭面から没入形成された安着面を含み、
前記安着面に安着されたディスクを前記トレーの進入方向と反対方向に加圧して前記安着面と外郭面との間の段付き部に密着させることによってディスクの離脱を防止する離脱防止手段がさらに備わったことを特徴とする光ディスクドライブ。
【請求項２】
前記離脱防止手段は、
前記トレーの前記メーンフレーム側の外郭面に回転自在に設けられた回転レバーと、
前記回転レバーが前記ディスクをその反対側の外郭面と安着面との間の段付き部に対して加圧して密着させる方向に回転するように弾性力を提供する弾性部材とを含むことを特徴とする請求項１に記載の光ディスクドライブ。
【請求項３】
前記離脱防止手段は、
前記反対側の外郭面から前記安着面の上方に突出して前記ディスクが前記外郭面に押し上がらないように止めるロッキング突起をさらに含むことを特徴とする請求項２に記載の光ディスクドライブ。
【請求項４】
前記メーンフレームにはアンローディング動作信号のための第１センサー及びローディング動作信号のための第２センサーが設けられ、
前記トレーにはアンローディングが始まるように前記第１センサーを作動させるためのノブと、アンローディング完了時に前記第２センサーと接触するスイッチング突起が各々備えられ、
前記トレーがメーンフレーム側に完全に進入した状態で前記ノブを押さえればその内側に位置した第１スイッチが押さえられてトレーアンローディング動作信号を生じ、トレーが完全にアンローディングされて前記スイッチング突起と第２スイッチと接触した状態でトレーをメーンフレーム側に押込めば、前記スイッチング突起と第２スイッチとの接点が離れてローディング動作信号を生じるようになったことを特徴とする請求項１に記載の光ディスクドライブ。
【請求項５】
光ディスクドライブのメーンフレームに出入自在に設けられてディスクを運搬する光ディスクドライブ用トレーにおいて、
外郭面と、ディスクが安着されるようにその外郭面から没入形成された安着面と、前記安着面に安着されたディスクを前記メーンフレームへの進入方向と反対方向に加圧して前記安着面と外郭面との間の段付き部に密着させることによってディスクの離脱を防止する離脱防止手段とを含むことを特徴とする光ディスクドライブ用トレー。
【請求項６】
前記離脱防止手段は、
前記メーンフレーム側の外郭面に回転自在に設けられた回転レバーと、
前記回転レバーが前記ディスクをその反対側の外郭面と安着面との間の段付き部に対して加圧して密着させる方向に回転するように弾性力を提供する弾性部材とを含むことを特徴とする請求項５に記載の光ディスクドライブ用トレー。
【請求項７】
前記離脱防止手段は、
前記反対側の外郭面から前記安着面の上方に突出して前記ディスクが前記外郭面に押し上がらないように止めるロッキング突起をさらに含むことを特徴とする請求項６に記載の光ディスクドライブ用トレー。
【発明の詳細な説明】
【技術分野】
【０００１】
本発明は光ディスクドライブに係り、特にスリム化に有利に改善された光ディスクドライブに関する。
【背景技術】
【０００２】
一般に、CDプレーヤーやDVDプレーヤーのような光ディスクドライブは、記録媒体のディスクに光を照射して情報を記録したりまたはそれより情報を読出して再生する装置であって、図１に示したように、メーンフレーム１０と、直径１２０ｍｍのディスク１が安着される第１安着面４１及び直径８０ｍｍディスク(図示せず)が安着される第２安着面４２を具備してメーンフレーム１０に出入しつつディスクを運搬するトレー４０と、メーンフレーム１０に回動自在に設けられたサブフレーム２０と、サブフレーム２０上に支持されるベースシャーシ３０とを含む。ベースシャーシ３０にはトレー４０で運搬されたディスク１が安着されるターンテーブル３２と、ターンテーブル３２に安着されたディスクの半径方向に移動しつつそのディスク１に情報を記録したり再生する光ピックアップ３１などが設けられる。参照符号１１は所定ローディングユニットを通じてトレー４０を出入駆動させるためのローディングモーターを示す。そして、参照符号１２は、サブフレーム２０のカム突起２１が挿入されるカム溝(図示せず)を具備してローディングモーター１１により回転しつつそのカム突起２１を昇降運動させるカム部材を示す。したがって、カム部材１２が回転すればカム突起２１がカム溝の軌跡に沿って昇降運動し、結果的にサブフレーム２０がメーンフレーム１０に支持された回動軸２２を中心として回動するのである。このような構成において、ディスク１がトレー４０に搭載されてメーンフレーム１０内に入れば、カム部材１２が回転しつつサブフレーム２０が回動してターンテーブル３２上にディスク１が安着され、以後ターンテーブル３２が回転しつつ光ピックアップ３１がディスク１に収録された情報を再生したりまたは新しい情報を記録したりする。
【０００３】
ところが、このような従来の光ディスクドライブでは、前記のようにサブフレーム２０に備えられたカム突起２１をカム部材１２に直接挿入して二つの部材間のカム運動によりサブフレーム２０が昇降するように構成されているために、カム部材１２はサブフレーム２０の回動範囲中でカム突起２１が一番低い位置に下がる時よりさらに低い所に位置せざるを得ない。すなわち、図２に概略的に示したように、サブフレーム２０の回動によるターンテーブル３２の昇降高さを確保するためには、カム部材１２がサブフレーム２０の回動範囲hを外れてさらに低い位置(h＋h’)までの空間を占有せざるを得ない。したがって、この回動構造は光ディスクドライブの高さを多く占める短所があって、製品をより軽くて薄く作ろうとする最近の勢いを見れば、適していない構造と指摘されている。
【０００４】
そして、光ディスクドライブをスリム化するのにおけるさらに他の問題点は、特にトレー４０の第２安着面４２に８０ｍｍのディスクを安着して運搬する場合、ディスクがターンテーブル３２のボス３２aにかかってトレー４０が動けなくなる恐れがあるという点である。例えば、ターンテーブル３２に安着させて使用した８０ｍｍのディスクを再び取り出そうとする時には、サブフレーム２０を下降回動させてそのディスクを第２安着面４２上に安着させた後、トレー４０をメーンフレーム１０の外に取り出すが、もし光ディスクドライブをスリム化するためにターンテーブル３２の下降高さを小さくしすぎると、ディスクがこのターンテーブル３２のボス３２aにかかってトレー４０がメーンフレーム１０から正常に取り出されないようになる恐れがあり、反対にターンテーブル３２の下降高さを大きくすればスリム化に不利になる問題がある。したがって、ターンテーブル３２の下降高さを小さくしながらもディスクがボス３２aにかからないようにしうる構造が要求される。
【０００５】
一方、最近ノートブックコンピュータ用光ディスクドライブにはスリム化のためにトレーにターンテーブルや光ピックアップなどを直接設けた構造もあるが、これらは大体トレーの出入動作を使用者が手動でせねばならないので使用に不便な短所がある。
【０００６】
したがって、このような問題点を解消できる新しい構造の光ディスクドライブが要求されている。
【発明の開示】
【発明が解決しようとする課題】
【０００７】
本発明は前記の必要性を勘案して案出されたものであって、トレーの自動ローディングを具現しながらもスリム化に有利に構造改善された光ディスクドライブを提供するのにその目的がある。
【課題を解決するための手段】
【０００８】
前記目的を達成するための本発明は、メーンフレームと、前記メーンフレームに出入自在に設けられてディスクを運搬するトレーとを含む光ディスクドライブにおいて、
前記トレーは、外郭面及びディスクが安着されるようにその外郭面から没入形成された安着面を含み、
前記安着面に安着されたディスクを前記トレーの進入方向と反対方向に加圧して前記安着面と外郭面との間の段付き部に密着させることによってディスクの離脱を防止する離脱防止手段がさらに備わったことを特徴とする。
【０００９】
また、前記目的を達成するための本発明の他の特徴による光ディスクドライブ用トレーは、光ディスクドライブのメーンフレームに出入自在に設けられてディスクを運搬する光ディスクドライブ用トレーにおいて、
外郭面と、ディスクが安着されるようにその外郭面から没入形成された安着面と、前記安着面に安着されたディスクを前記メーンフレームへの進入方向と反対方向に加圧して前記安着面と外郭面との間の段付き部に密着させることによってディスクの離脱を防止する離脱防止手段とを含むことを特徴とする。
【発明の効果】
【００１０】
離脱防止手段が安着面に安着されたディスクをトレーの進入方向と反対方向に加圧する構成であるため、ディスクが安着面から離脱することを防止できると共に、ターンテーブルがディスクを支持した状態で、ターンテーブルの中心とディスク１の中心が合うようになってディスク偏心を減少することが出来る。
【発明を実施するための最良の形態】
【００１１】
以下、添付した図面を参照して本発明の望ましい実施例について詳細に説明する。
【実施例】
【００１２】
図３Ａ及び図３Ｂは、本発明に係る光ディスクドライブを示すものである。
【００１３】
図面を参照するに、ディスク１を運搬するトレー３００がメーンフレーム１００に出入自在に設けられており、メーンフレーム１００にはベースシャーシ２００が回動自在に設けられている。ベースシャーシ２００にはディスク１が安着されるターンテーブル２３１と、フィーディングユニットによりターンテーブル２３１に安着されたディスクの半径方向に移動しつつそのディスクに情報を記録したり再生する光ピックアップ２２０とが設けられる。参照符号２０１はメーンフレーム１００とベースシャーシ２００とを連結するダンパであり、これがベースシャーシ２００の回動軸の役割も兼ねる。
【００１４】
そして、トレー３００をメーンフレーム１００側に進入させるトレーローディングユニットと、ベースシャーシ２００を回動させてトレー３００に安着されたディスク１をターンテーブル２３１に安着させるためのベースシャーシローディングユニットが備わるが、本発明ではこれらローディングユニットがスリム化を考慮した構成よりなっている。図面を参照すれば、まず前記トレーローディングユニットは、ローディングモーター１１０と、トレー３００の下部内側壁に備えられたギアレール３０１に噛合わされた状態でローディングモーター１１０により回転することによってトレー３００をメーンフレーム１００に対して出入させるローディングギア１２０とを具備する。このローディングギア１２０とギアレール３０１は上下に配置されて噛合わされるものではなく、トレー３００下部の空いた空間を用いて横に噛合わされるために、高さをあまり占めない。そして参照符号１３０は、トレー３００の進入時にそのトレー３００の下面に備えられた連動突起３０２に押されて回転してローディングギア１２０と噛合わされるカムギアであり、ローディングモーター１１０の動力を前記ベースシャーシローディングユニットに選択的に伝える役割をする。
【００１５】
ベースシャーシ２００を回動させるためのベースシャーシローディングユニットとしては、カムギア１３０と噛合わされてそのカムギア１３０の回転によってメーンフレーム１００上で摺動移動し、その一側にはベースシャーシ２００の昇降動作のためのカム溝１４１aが備えられたカム部材１４０と、メーンフレーム１００に回動自在に設けられ、その自由端部２１０aはダンパ２０２(図４)を介在してベースシャーシ２００の自由端部２００aと弾力的に流動自在に結合され、カム溝１４１aに挿入されるカム突起２１１が備わったサブシャーシ２１０とが具備される。したがって、カムギア１３０の回転によりカム部材１４０が移動すればカム突起２１１が結合されたカム溝１４１aの軌跡に沿って摺動してサブシャーシ２１０が回動し、それによりベースシャーシ２００の自由端部２００aが上昇して、結局トレー３００に安着されていたディスク１がターンテーブル２３１上に支持される。これについての全般的な動作はまた後述する。ここで、ベースシャーシ２００を直接カム部材１４０に連結せずにサブシャーシ２１０を経由するようにしたことはスリム化を考慮した構造である。例えば、ベースシャーシ２００の自由端部２００aにカム突起を突設して直接カム部材１４０のカム溝１４１aに連結するためには、図２で説明したようにカム部材１４０はベースシャーシ２００の自由端部２００aの最低位置よりさらに低い所に位置せねばならない。ところが前記のようにベースシャーシ２００の自由端部をサブシャーシ２１０の自由端部と結合させた後でそのサブシャーシ２１０にカム突起２１１を形成させれば、図５に概略的に示したようにカム部材１４０はベースシャーシ２００の自由端部の最低位置よりは高い所に位置される。したがって、カム部材１４０をベースシャーシ２００の回動範囲内に位置させうるので、高さの側面で別の空間を占めなくなってスリム化に有利になる。
【００１６】
また、ターンテーブル２３１上にディスク１が安着されればフィーディングユニットが光ピックアップ２２０をディスク１の半径方向に移動させつつディスク１に情報を記録したり再生するようにするが、このフィーディングユニットは、光ピックアップ２２０の移動をガイドするガイドレール２４０と、このガイドレール２４０と並んで配置されたリードスクリュー２５０と、リードスクリュー２５０と噛合わされるように光ピックアップ２２０に備えられたギア部２２１及びリードスクリュー２５０を駆動させるモーター２６０とを含む。したがって、モーター２６０の駆動でリードスクリュー２５０が回転すれば、ギア部２２１によりリードスクリュー２５０に結合された光ピックアップ２２０がガイドレール２４０に沿って移動しつつディスク１に光を照射する。
【００１７】
そして、ターンテーブル２３１は図６に示したようにスピンドルモーター２３０の回転子を用いたものである。すなわち、固定子２３２との電気的相互作用で回転する回転子にディスク１の中央ホール１aが挟み込まれるボス２３１aを形成してターンテーブル２３１として用いるものである。これも光ディスクドライブを薄くするのに有効な構造である。
【００１８】
トレー３００は、外郭面３１０と安着面３２０とを含んで構成される。安着面３２０はディスク１が安着されうるように外郭面３１０から没入形成されたものであって、直径１２０ｍｍのディスクが安着される第１安着面３２１と、直径８０ｍｍの小型ディスクが安着される第２安着面３２２とより構成される。この第２安着面３２２は第１安着面３２１からさらに没入形成されており、トレー３００の進入方向(図７の矢印A１方向)に段々高まる傾斜を有している。これは光ディスクドライブがスリム化されつつターンテーブル２３１の下降高さを小さくすることによってトレー３００の引出し動作時に特に８０ｍｍの小型ディスクがベースシャーシ２００が下降した後にもターンテーブル２３１のボス２３１aにかかってよく抜けない場合があるが、これを防止するために図７に示したように第２安着面３２２をトレー３００の進入方向(矢印A１)に段々上昇するように所定角度(θ)傾いて作ったものである。このようになればディスク１’が傾いた状態でトレー３００が矢印A２方向に抜け出るために、ターンテーブル２３１が少しだけ下がっただけであるにも拘わらずボス２３１aにディスク１’が引っかかる現象を防止できる。
【００１９】
そして、トレー３００には第１安着面３２１に安着されたディスク１を支持して、ディスクドライブを垂直に立ててもディスク１を離脱させないための離脱防止手段が備わっている。この離脱防止手段は第１安着面３２１に安着されたディスク１の一側端部を半径方向に加圧して外郭面３１０と第１安着面３２１との間の段付き部３１５に押し付けることによって離脱を防止するようになったものである。図３Ａ及び図８に示したように、前記離脱防止手段は外郭面３１０に回転自在に設けられた回転レバー３５１と、加圧溝３５１aがディスク１の端部を加圧する方向に回転レバー３５１を弾性バイアスさせるトーションスプリング３５２を含んで構成される。したがって、第１安着面３２１に安着されたディスク１は回転レバー３５１によりその反対側段付き部３１５に密着されることによって離脱が防止される。そして本発明の実施例では、回転レバー３５１をメーンフレーム１００側と近い外郭面３１０に設け、反対側のメーンフレーム１００から遠い側の段付き部３１５に向かってディスク１を加圧するように構成している。このような回転レバー３５１の加圧方向はまずディスク１の搭載の便宜のために望ましいことである。もし、図９に示したように回転レバー３５１をメーンフレーム１００から遠い側の外郭面３１０に設けた後にメーンフレーム１００側に向けて加圧するように反対に配置すれば、ディスク１を第１安着面３２１に安着させる時、ディスク１でメーンフレーム１００側から矢印B方向に回転レバー３５１を押さえつつ安着させねばならない。ところがこの方向にディスク１を安着させれば使用者の手が光ディスクドライブ本体４００に干渉されて作業が不便な問題が生じる。一方、本発明のように回転レバー３５１を配置すれば、すなわち、ディスク１をメーンフレーム１００側に向けて押し込めつつ第１安着面３２１に安着させれば、本体４００が干渉される等の不便さを生じなくなる。そして、前記のような回転レバー３５１のディスク加圧方向は、ターンテーブル２３１にディスク１が安着される時にターンテーブル２３１の回転中心とディスク１の中心とをよく合わせるのにも有効である。もし、図９のような方向にディスク１を加圧すれば、図１０Ａに概略的に示したようにディスク１が第１安着面３２１内でもメーンフレーム１００の内側のトレー３００の進入方向(矢印C方向)に偏っていることになる。ところが、ターンテーブル２３１は図面のように回動しつつディスク１を持ち上げるため、ディスク１がメーンフレーム１００の内側(矢印C方向側)に偏っていれば、ターンテーブル２３１が上がりつつディスク１の中心よりメーンフレーム１００から遠い側(矢印Cとは反対の方向側)を持ち上げるようになってdだけの偏心が生じる。しかし、本発明の構造では、図１０Ｂに概略的に示したようにディスク１がその反対方向(矢印D方向)に偏っているために、ターンテーブル２３１が図面のように回動してディスク１を持ち上げれば、ターンテーブル２３１のボス２３１ａがディスク１の中心孔をより確実にガイドするようになってターンテーブル２３１の中心とディスク１の中心とがさらによく合う。したがって、このように回転レバー３５１の加圧方向を設定すれば、ディスク１搭載の便利さ及びディスク偏心の減少に効果がある。
【００２０】
また、回転レバー３５１はその厚さが段付き部３１５の高さを超えないようにすることがスリム化側面で望ましい。そして、この回転レバー３５１はトレー３００がメーンフレーム１００側にほとんど入り込んだ時、その一端部３５１bがメーンフレーム１００に備えられたストッパ１０１にかかって戻ることによってディスク１に対する加圧を解除する。参照符号３３０は回転レバー３５１により段付き部３１５側に加圧されたディスク１が外郭面３１０に押し上がらないように止めるロッキング突起を示す。
【００２１】
そして、第１安着面３２１と第２安着面３２２との境界部には複数の安着パッド３４０が設けられている。この安着パッド３４０は直径１２０ｍｍのディスク１に対してはその底面を支える役割をし、直径８０ｍｍのディスクに対してはその端部を支持して第２安着面３２２からの離脱を抑制する役割をする。そして、この安着パッド３４０が１２０ｍｍのディスク１に対して内側に設けられているので、ディスク１の外郭端部は上下に少し動けうる余裕が生じる。このように端部が動きうる余裕ができると、ディスク１を安着させる時にその端部を回転レバー３５１の加圧溝３５１aに合せて挿入し易くなる。
【００２２】
トレー３００の下面には連動突起３０２から延びた曲線形の係止片３０３が備えられている。これはカムギア１３０の水平面に備えられた干渉片１３１と共にトレー３００の離脱を防止するロッキング手段の機能をする。すなわち、トレー３００がメーンフレーム１００側に進入すれば、カムギア１３０が回転しつつ干渉片１３１が係止片３０３の退路を止める位置に戻ってトレー３００がメーンフレーム１００から再び抜けられないようにするものである。
【００２３】
参照符号S１とS２はトレー３００のローディングとアンローディング動作をセンシングするための第１、２スイッチを示す。これはトレー３００に備えられたノブ３００aとスイッチング突起３００b（図１１）とにより作動するものであり、トレー３００がメーンフレーム１００側に完全に進入した状態では第１スイッチS１がノブ３００aに接触自在に位置する(図１３参照)。したがって、この状態でノブ３００aを押さえればその内側の第１スイッチS１も押さえられて作動し、トレー３００を引出させる方向にローディングモーター１１０を駆動させる信号を生じる。そして、トレー３００がメーンフレーム１００から完全に抜け出した状態ではスイッチング突起３００bが第２スイッチS２と接触する。この状態でトレー３００をメーンフレーム１００側に少し押込めば、スイッチング突起３００bと第２スイッチS２の接点が離れ(図１１参照)、これがローディングモーター１１０をトレー３００の進入方向に駆動させる信号として作用する。したがって、トレー３００をアンローディングさせる時にはノブ３００aを押さえればよく、ローディングさせる時にはトレー３００を少し押込めば直ちに駆動する。
【００２４】
前記構成において、ディスクのローディング動作は次のように行われる。ディスクは直径１２０ｍｍのディスクの場合を仮定して説明する。
【００２５】
まず、使用するディスク１をトレー３００の第１安着面３２１に安着させる。この時、その端部を回転レバー３５１の加圧溝３５１aによく合せて安着させれば、トーションスプリング３５２による回転レバー３５１の加圧力によりディスク１は第１安着面３２１上にかたく支持される。
【００２６】
この状態でトレー３００をメーンフレーム１００側に少し押込めば、スイッチング突起３００bと第２スイッチS２との接点が離れてローディングモーター１１０が駆動し、図１１に示したようにギアレール３０１と噛合わされたローディングギア１２０が回転し、これによりトレー３００がメーンフレーム１００側に進入する。
【００２７】
以後、トレー３００がほとんど進入すれば、図１２に示したようにトレー３００の底面の連動突起３０２がカムギア１３０の突出部１３２を押さえて少し回す。これによりカムギア１３０はローディングギア１２０に噛み合い、この時からはローディングギア１２０が回転するにつれてカムギア１３０が回転しつつカム部材１４０を摺動移動させる。この時、回転レバー３５１はその一端部３５１bがストッパ１０１にかかってトレー３００の進入によって回転し、これによりディスク１に対する加圧を解除する。
【００２８】
そして、カム部材１４０が移動すれば、カム溝１４１aとカム突起２１１とのカム運動によりサブシャーシ２１０が回動し、同時にそれと自由端部２１０a、２００a同士連結されたベースシャーシ２００が回動する。結局、図１３に示したようにベースシャーシ２００が上昇しつつターンテーブル２３１上にディスク１が安着される。
【００２９】
この時、カムギア１３０の干渉片１３１もトレー３００の係止片３０３の退路を防止する位置に戻る。
【００３０】
以後には前記フィーディングユニットが光ピックアップ２２０を移動させつつディスク１についての情報の記録や再生作業を行う。
【００３１】
アンローディング動作はノブ３００aを押さえて第１スイッチS１を作動させればこれと逆順で進行される。
【００３２】
したがって、前記のようにスリム化した構造をもってローディングとアンローディング動作を自動で行える。
【図面の簡単な説明】
【００３３】
【図１】従来の光ディスクドライブ内部構造を示す斜視図である。
【図２】図１に示した光ディスクドライブにおいてサブフレームの回動構造を概略的に示す図である。
【図３Ａ】本発明に係る光ディスクドライブを示す斜視図である。
【図３Ｂ】図３Ａの要部拡大図である。
【図４】図３ＡのIV−IV線に沿って切断した断面図である。
【図５】図３Ａに示した光ディスクドライブにおいてベースシャーシの回動構造を概略的に示す図である。
【図６】図３Ａに示したターンテーブルとスピンドルモーターの断面図である。
【図７】図３Ａに示したトレーの断面図である。
【図８】図３Ａに示したトレーの底面を示す斜視図である。
【図９】図３Ａに示した回転レバーの位置変更時にディスク搭載の不便を説明するための図である。
【図１０Ａ】図３Ａに示した回転レバーの位置変更時にディスク偏心発生の問題を説明するための図である。
【図１０Ｂ】図３Ａに示した回転レバーの位置変更時にディスク偏心発生の問題を説明するための図である。
【図１１】ローディング過程を段階的に示す図である。
【図１２】ローディング過程を段階的に示す図である。
【図１３】ローディング過程を段階的に示す図である。
【符号の説明】
【００３４】
１、１’  ディスク
１ａ    中央ホール
１００  メーンフレーム
１０１  ストッパ
１１０  ローディングモーター
１２０  ローディングギア
１３０  カムギア
１３１  干渉片
１３２  突出部
１４０  カム部材
１４１ａ  カム溝
２００  ベースシャーシ
２００ａ、２１０ａ  自由端部
２０１  ダンパ
２１０  サブシャーシ
２１１  カム突起
２２０  光ピックアップ
２２１  ギア部
２３０  スピンドルモーター
２３１  ターンテーブル(回転子)
２３１ａ  ボス
２３２  固定子
２４０  ガイドレール
２５０  リードスクリュー
２６０  モーター
３００  トレー
３００ａ  ノブ
３００ｂ  スイッチング突起
３０１  ギアレール
３０２  連動突起
３０３  係止片
３１５  段付き部
３２１  第１安着面
３２２  第２安着面
３４０  安着パッド
３５１  回転レバー
３５１ａ  加圧溝
３５１ｂ  一端部
４００  光ディスクドライブ本体
【図１】
2004296091.tif 000003
【図２】
2004296091.tif 000004
【図３Ａ】
2004296091.tif 000005
【図３Ｂ】
2004296091.tif 000006
【図４】
2004296091.tif 000007
【図５】
2004296091.tif 000008
【図６】
2004296091.tif 000009
【図７】
2004296091.tif 000010
【図８】
2004296091.tif 000011
【図９】
2004296091.tif 000012
【図１０Ａ】
2004296091.tif 000013
【図１０Ｂ】
2004296091.tif 000014
【図１１】
2004296091.tif 000015
【図１２】
2004296091.tif 000016
【図１３】
2004296091.tif 000017